(57)【要約】      （修正有）【課題】防音に適するシステムと装置を提供する。【解決手段】一部の実施形態において、装置は導管用シール組立体を含み、この組立体は、導管１０の周りにおいて軸方向シールを形成することができる大きさとされる実質的に不撓性のカラー部材４０であって、実質的に半径方向に延在するフランジ５０を有するカラー部材４０と、この実質的に不撓性のカラー部材４０と密封的に接触する実質的に可撓性の軸方向シール部材３０であって、フランジ５０の第１面５０Ａと密封的に接触する第１の部分３０Ａと、フランジ５０の第２面５０Ｂと密封的に接触する第２の部分３０Ｂとを含む軸方向シール部材３０とを含み、実質的に可撓性の軸方向シール部材３０と実質的に不撓性のカラー部材４０とが導管の周りにおいて軸方向シールを維持すると共に、導管挿通パネル２０に対する導管の軸方向移動と並進移動と回転移動とを可能にする。【選択図】図１
2015017702.tif 000002
【特許請求の範囲】
【請求項１】
導管用シール組立体において、
前記導管の周りにおいて軸方向シールを形成することができる大きさとされる、実質的に不撓性のカラー部材であって、実質的に半径方向に延在するフランジを有するカラー部材と、
前記実質的に不撓性のカラー部材と密封的に接触する、実質的に可撓性の軸方向シール部材であって、前記フランジの第１面と密封的に接触する第１の部分と、前記フランジの第２面と密封的に接触する第２の部分とを含む軸方向シール部材とを具備し、
前記実質的に可撓性の軸方向シール部材と前記実質的に不撓性のカラー部材とが前記導管の周りにおいて前記軸方向シールを維持すると共に、導管挿通パネルに対する前記導管の軸方向移動と並進移動と回転移動とを可能にする導管用シール組立体。
【請求項２】
前記実質的に不撓性のカラー部材は実質的に円形であり、前記フランジは実質的に円形である、請求項１に記載のシール組立体。
【請求項３】
前記実質的に可撓性の軸方向シール部材は前記導管の熱膨張を可能にする、請求項１に記載のシール組立体。
【請求項４】
前記実質的に不撓性のカラー部材の内面は前記導管の外面を実質的に補完する、請求項１に記載のシール組立体。
【請求項５】
前記導管挿通パネルに前記実質的に可撓性の軸方向シール部材を取り付けるためのアダプタを更に具備し、前記導管挿通パネルは前記導管を受けることができる大きさとされ、前記アダプタは前記実質的に可撓性の軸方向シール部材の前記第１の部分及び前記第２の部分の一方と密封的に接触し、前記導管挿通パネルは前記実質的に可撓性の軸方向シール部材より大きい貫通穴を有する、請求項１に記載のシール組立体。
【請求項６】
各々が取付けシステムの第１部分を含む第１及び第２の半円形板を含む支持部材を更に具備し、
前記実質的に可撓性の軸方向シール部材の前記第１及び第２の部分は前記取付けシステムの第２部分を含み、
前記アダプタは前記取付けシステムの第３部分を含み、前記取付けシステムの前記第３部分は前記取付けシステムの前記第１部分及び前記取付けシステムの前記第２部分に対して補完的である、請求項５に記載のシール組立体。
【請求項７】
前記支持部材と前記アダプタとの各々は、実質的に同一の熱膨張率を有する材料を含む、請求項６に記載のシール組立体。
【請求項８】
前記実質的に可撓性の軸方向シール部材の前記第１の部分は第１の接合部で係合する第１及び第２の半円形板を含み、前記実質的に可撓性の軸方向シール部材の前記第２の部分は第３及び第４の半円形板を含み、前記第３及び第４の半円形板は第２の接合部で係合し、前記第２の接合部は前記第１の接合部に対して直交する、請求項１に記載のシール組立体。
【請求項９】
前記支持部材と前記アダプタとは実質的に同一の材料組成を有する、請求項８に記載のシール組立体。
【請求項１０】
前記実質的に可撓性の軸方向シール部材の前記第１及び第２の部分の各々は第１の半円形部分と第２の半円形部分とを含む、請求項１に記載のシール組立体。
【請求項１１】
前記実質的に不撓性のカラー部材は第１の部分と第２の部分とを含み、前記第１の部分は、前記導管との密封的接触に呼応して前記第２の部分と係合する、請求項１に記載のシール組立体。
【請求項１２】
前記実質的に可撓性の軸方向シール部材の前記第１及び第２の部分は、前記パネルに対する前記フランジの並進的摺動を可能にすることにより、前記導管の並進移動を可能にする、請求項１に記載のシール組立体。
【請求項１３】
前記実質的に不撓性のカラー部材は、前記導管の材料と等しいか又はそれより高い熱膨張率の材料を含む、請求項１に記載のシール組立体。
【請求項１４】
前記実質的に可撓性の軸方向シール部材は防音材料を含む、請求項１に記載のシール組立体。
【請求項１５】
導管と、
前記導管を貫通させることができるパネルと、
前記導管及び前記パネルと密封的に接触するシールであって、
実質的に半径方向に延在するフランジを有する実質的に不撓性のカラー部材と、
前記実質的に不撓性のカラー部材と密封的に接触する実質的に可撓性の軸方向シール部材であって、前記フランジの第１面と密封的に接触する第１の部分と、前記フランジの第２面と密封的に接触する第２の部分とを含む軸方向シール部材とを含むシールとを具備し、
前記実質的に可撓性の軸方向シール部材と前記実質的に不撓性のカラー部材とが前記導管の熱膨張を可能にすると共に、前記導管の周りにおいて軸方向シールを維持し、且つ前記パネルに対する前記導管の軸方向移動と並進移動と回転移動とを可能にする装置。
【請求項１６】
前記実質的に不撓性のカラー部材は実質的に円形であり、前記フランジは実質的に円形である、請求項１５に記載の装置。
【請求項１７】
前記実質的に可撓性の軸方向シール部材を前記パネルに取り付けるためのアダプタを更に具備し、前記アダプタは前記導管を受けることができる大きさとされ、前記アダプタは前記実質的に可撓性の軸方向シール部材の前記第１の部分及び前記第２の部分の一方と密封的に接触し、前記パネルは前記実質的に可撓性の軸方向シール部材より大きい貫通穴を有する、請求項１５に記載の装置。
【請求項１８】
前記支持部材と前記アダプタとは実質的に同一の熱膨張率を有する材料を含む、請求項１７に記載の装置。
【請求項１９】
第１の半円形板と、
第２の半円形板とを含む支持部材であって、前記第１及び第２の半円形板の各々が取付け組立体の第１部分を含む支持部材を更に具備し、
前記実質的に可撓性の軸方向シール部材は取付け組立体の第２部分を含み、
前記アダプタは前記取付け組立体の第３部分を含み、前記取付け組立体の前記第３部分は前記取付け組立体の前記第１及び第２部分に対して補完的である、請求項１７に記載の装置。
【請求項２０】
前記実質的に可撓性の軸方向シール部材は防音材料を含む、請求項１５に記載の装置。
【発明の詳細な説明】
【技術分野】
【０００１】
本発明は一般に防音シールに関する。特に、本発明は、導管が壁又はパネルを貫通する配管貫通部に用いられて、熱膨張及びパネル又は壁に対する導管の移動が可能になるようにする防音シールに関する。
【背景技術】
【０００２】
例えば配管貫通部で壁又はパネルを貫通する導管を含むシステムにおいて防音が求められることがよくある。壁、パネル又は囲いの配管貫通部に用いられる従来式防音シールシステムでは往々にして保守不十分による防音不良が問題となる。多くの従来式シールシステムでは、導管を完全に設置する前にシールを設置することが必要とされる。更にまた、従来の配管貫通システムに用いられる壁又はパネルは、防音パネルを有する鋼構造を含むことが多い。
【０００３】
防音シールシステムを用いる用途によって、導管は様々な方向に移動することが必要になることがある。例えば、導管が熱膨張により移動することができる必要がある場合もある。導管が移動すると、導管とパネルとの間にすき間が形成されて、以って防音不良が起こる。導管の移動又は膨張によって起こるすき間の形成による防音不良を是正するために用いられる従来システムでは、ミネラルウールが防音材として使用されることがある。しかし、ミネラルウールは非効率的であり、丈夫ではなく、しかも保守を必要とする。
【０００４】
一部の従来式防音シールシステムは、シール対象となる導管の設置前に設置されることが必要である。このようなシステムは、導管の角度移動を可能にするが、軸方向移動は容易又は可能ではない。
【０００５】
一部の従来式防音シールシステムは、導管及びパネルの組立後に完成される。このようなシステムは、導管とパネルとが既に定位置に設けられた後に組み付けられてシールシステムとなる複数の部品によって構成される。１つのこうしたシステムは、導管を保持するように設計される半球形部品を含み、これらの半球形部品は、一旦組み付けられると、ソケット部内で回転可能となって、以って導管の角度移動を可能にする。このようなシステムでは、半球形導管保持体がソケット部内の定位置に固着されるため、導管の並進移動又は軸方向移動ができなくなる。更にまた、このようなシステムでは、防音的密封を維持しながら導管を熱膨張させることはできない。
【先行技術文献】
【特許文献】
【０００６】
【特許文献１】米国特許第７，５３４，９６５（Ｂ２）号
【発明の概要】
【課題を解決するための手段】
【０００７】
様々な実施形態には、配管貫通部における防音に適するシステム及び装置が含まれる。一部の実施形態において、装置は導管用シール組立体を含み、この組立体は、導管の周りにおいて軸方向シールを形成することができる大きさとされる実質的に不撓性のカラー部材であって、実質的に半径方向に延在するフランジを有するカラー部材と、実質的に不撓性のカラー部材と密封的に接触する実質的に可撓性の軸方向シール部材であって、フランジの第１面と密封的に接触する第１の部分と、フランジの第２面と密封的に接触する第２の部分とを含む軸方向シール部材とを具備し、実質的に可撓性の軸方向シール部材と実質的に不撓性のカラー部材とが導管の周りにおいて軸方向シールを維持すると共に、パネルに対する導管の軸方向移動と並進移動と回転移動とを可能にする。
【０００８】
第１の態様は、導管用シール組立体において、導管の周りにおいて軸方向シールを形成することができる大きさとされる実質的に不撓性のカラー部材であって、実質的に半径方向に延在するフランジを有するカラー部材と、この実質的に不撓性のカラー部材と密封的に接触する実質的に可撓性の軸方向シール部材であって、フランジの第１面と密封的に接触する第１の部分と、フランジの第２面と密封的に接触する第２の部分とを含む軸方向シール部材とを具備し、実質的に可撓性の軸方向シール部材と実質的に不撓性のカラー部材とが導管の周りにおいて軸方向シールを維持すると共に、導管挿通パネルに対する導管の軸方向移動と並進移動と回転移動とを可能にするシール組立体である。
【０００９】
第２の態様は、導管と、導管を貫通させることができるパネルと、導管及びパネルと密封的に接触するシールであって、実質的に半径方向に延在するフランジを有する実質的に不撓性のカラー部材と、この実質的に不撓性のカラー部材と密封的に接触する実質的に可撓性の軸方向シール部材であって、フランジの第１面と密封的に接触する第１の部分と、フランジの第２面と密封的に接触する第２の部分とを含む軸方向シール部材とを具備し、実質的に可撓性の軸方向シール部材と実質的に不撓性のカラー部材とが導管の熱膨張を可能にすると共に導管の周りにおいて軸方向シールを維持し、且つパネルに対する導管の軸方向移動と並進移動と回転移動とを可能にする装置である。
【００１０】
本発明の上記及びその他の特徴は、本発明の様々な実施形態を示す添付図面と併せて、以下の本発明の様々な態様の詳細な説明を読むことにより、より容易に理解されよう。
【図面の簡単な説明】
【００１１】
【図１】本発明の実施形態に従った防音シールシステムの等角図である。
【図２】本発明の実施形態に従った防音シールシステムの等角図である。
【図３】本発明の実施形態に従った防音シールシステムの等角図である。
【図４】本発明の実施形態に従った、パネルに対する導管の回転移動を示す図である。
【図５】本発明の実施形態に従った、パネルに対する導管の軸方向移動を示す図である。
【図６】本発明の実施形態に従った、パネルに対する導管の並進移動を示す図である。
【発明を実施するための形態】
【００１２】
本発明の図面は必ずしも一定の縮尺で示されているわけではないことに注意する。これらの図面は、本発明の一般的な態様を示すことのみを意図しており、従って本発明の範囲を制限するものと見なされるべきではない。図面間において同様の符号で示される要素は互いに図面を参照して説明したものと実質的に同様であることが理解される。更に、図１〜６を参照して図及び説明に示す実施形態において、同様の符号は同様の要素を表す。これらの要素の重複する説明は、分かりやすくするために省略されている。最後に、図１〜６の構成要素及びそれらに付随する説明は、本明細書に記載のあらゆる実施形態に適用可能であることが理解される。
【００１３】
本発明は一般に防音シールに関する。特に、本発明は、導管が壁又はパネルを貫通する配管貫通部に用いられると共に、熱膨張又はパネル若しくは壁に対する移動による導管の移動を可能にする防音シールに関する。具体的には、記載の防音シールは、パワータービンシステムと導管が合成ガス又はシンガスを輸送するシステムとにおいて配管貫通部に用いられる。
【００１４】
本明細書に示すように、配管貫通部における防音シールの創出及び保守に関する問題は、しばしば、特に導管の工事及び設置後に見受けられる。本発明の態様は、パネルを貫通する導管の軸に沿って、パネルの一方側を他方側に対して防音的に密封するようになっているシステム及び装置を提供するものである。配管貫通部に用いられる防音シールを作ろうとするこれまでの試みは、シールが一般に導管及びパネルの設置前に形成されると共にシールがパネルに対する導管の十分な移動を許容しないシステムをもたらした。
【００１５】
従来の防音シールシステムとは相違して、本明細書に記載の様々な実施形態は、パネル及び導管の組立後にシールシステムを設置することを可能にする。こうした実施形態は、更にまた、導管又はパネルを取り外す必要なしにシールの修理及び保守を行なうことを可能にする一方で、導管の熱膨張を可能にし、且つパネルに対する導管の軸方向、並進及び回転移動を可能にする。
【００１６】
本明細書に記載の様々な態様によれば、導管用シール組立体は、導管の周りに軸方向シールを形成することができる大きさとされる実質的に不撓性のカラー部材を含む。このシールは、例えば、導管の軸の方向への音の伝搬を低減する防音軸方向シールであってよい。複数の態様によれば、この軸方向シールは、導管軸の方向に導管挿通パネルの一方側から他方側への音の伝搬を防ぐ。更にまた、本発明の態様によれば、実質的に不撓性のカラー部材は、実質的に半径方向に延在するフランジを有する。複数の態様には、カラー部材と密封的に接触する実質的に可撓性の軸方向シール部材も含まれ、この実質的に可撓性の軸方向シール部材は、フランジの第１面と密封的に接触する第１の部分と、フランジの第２面と密封的に接触する第２の部分とを含む。一部の態様では、シール部材の第１及び第２の部分はフランジを「挟み込む」と共に、パネルに対するフランジの摺動的並進移動を可能にする。実質的に可撓性の軸方向シール部材と実質的に不撓性のカラー部材とが導管の周りにおいて軸方向シールを維持すると共に、パネルに対する導管の軸方向移動と並進移動と回転移動とを可能にする。
【００１７】
様々な態様に従ったシールシステムは、タービンシステム、又は、配管貫通部における防音が望まれるシステムにおいてこうした防音を必要とするその他の用途に用いられる。このシールシステムは、導管の熱膨張を可能にすると共に、パネルに対する導管の並進、軸方向及び回転移動を可能にする一方で防音的密封を維持する。このシールシステムの可撓性は一般に性能の向上をもたらし、導管及びパネルの設置後に設置することができると共に導管又はパネルを取り外さなくても修理又は交換することができる省メンテナンスの防音機能を提供する。
【００１８】
図１を参照すると、実施形態に従った導管用シール組立体の等角図が示されている。導管１０は、シール組立体１のパネル２０を貫通して示されている。パネル２０には防音パネルが含まれる。実質的に可撓性の軸方向シール部材３０は、分かりやすくするために、多くの部分に分離されて示されている。一部の実施形態において、シール部材３０は第１の部分３０Ａと第２の部分３０Ｂとを含み、一部の実施形態はシール部材の第１の部分３０Ａの第１の半円形板３０Ａ´と第２の半円形板３０Ａ´´とを含む。同様に、複数の態様は、それぞれシール部材の第２の部分３０Ｂの第３及び第４の半円形板３０Ｂ´及び３０Ｂ´´を含んでよい。第１及び第２の半円形板３０Ａ´及び３０Ａ´´は、導管１０との密封的接触状態に呼応して互いに係合し、第３及び第４の半円形板３０Ｂ´及び３０Ｂ´´も導管１０との密封的接触状態に呼応して互いに係合する。実質的に不撓性のカラー４０は、導管１０の周りにおいて軸方向シールを形成することができる大きさとされる。カラー４０は、導管１０の材料と等しいか又はそれより高い熱膨張率の材料を含んでよい。カラー４０は、カラー４０の円形の形状に対して半径方向に延在するフランジ５０を含んで示されている。カラー４０及びフランジ５０は、それぞれ円形及び円板形として示されているが、カラー４０の内面が導管１０の外面を実質的に補完する限り、楕円形又は矩形を含むがこれらに制限されないその他の形状も企図される。
【００１９】
組立体１が組み立てられると、シール部材３０はカラー４０と密封的に接触する。シール部材３０は図ではフランジ５０の第１面５０Ａと密封的に接触する第１の部分３０Ａを有する。シール部材３０は更に図ではフランジ５０の第２面５０Ｂと密封的に接触する第２の部分３０Ｂを有する。組み立てられると、軸方向シール部材３０とカラー４０とが導管１０の周りにおいて軸方向シールを維持すると共に、導管１０の熱膨張を可能にし、且つパネル２０に対する導管１０の軸方向移動と並進移動と回転移動とを可能にする。実施形態は、フランジ５０がそれぞれ第１及び第２のシール部分３０Ａ及び３０Ｂと密封的に接触している時に、パネル２０に対するフランジ５０の摺動的並進移動を可能にすることに注意されたい。シール部材３０は防音材を含んでよい。
【００２０】
図２に、アダプタ６０を有するシール組立体１を示す。アダプタ６０は、実質的に可撓性の軸方向シール部材３０を導管挿通パネル２０に取り付けるために用いられる。アダプタ６０は導管１０を受けることができる大きさとされ、シール部材３０の第１の部分３０Ａ及び第２の部分３０Ｂの一方と密封的に接触する。図２には、アダプタ６０がシール部材３０の第１の部分３０Ａに接触する構成が示されているが、この構成は単なる例示であって、アダプタ６０はシール部材３０の第１又は第２の部分３０Ａ及び３０Ｂのいずれに接触してもよい。導管挿通パネル２０は、実質的に可撓性の軸方向シール部材３０より大きい貫通穴を有する。例えばシール部材３０がパネル２０の貫通穴と実質的に同じ大きさとされるその他の構成が企図される。
【００２１】
シール部材の第１の部分３０Ａの第１及び第２の半円形板３０Ａ´及び３０Ａ´´は、取付け組立体第１部分８０を含む。シール部材の第１の部分３０Ａの第１及び第２の半円形板３０Ａ´及び３０Ａ´´は、第１の接合部３２で合さる。シール部材の第２の部分３０Ｂの第３及び第４の半円形板３０Ｂ´及び３０Ｂ´´は、取付け組立体第２部分９０を含む。シール部材の第２の部分３０Ｂの第３及び第４の半円形板３０Ｂ´及び３０Ｂ´´は、第２の接合部３６で合さって、第１の接合部３２は第２の接合部３６に対して直交する。それぞれ第１及び第２の接合部３２及び３６が互いに直交する構成以外の構成も本開示の範囲内に含まれるが、図に示す直交構成は組立体１の構造的完全性のために有用であることがある。
【００２２】
アダプタ６０は取付け組立体第３部分１００を含む。図に示すように、それぞれ取付け組立体第１及び第２部分８０及び９０は穴として示されているが、取付け組立体第３部分１００は、取付け組立体第１及び第２部分８０及び９０の穴と嵌合するか又は穴を補完するピンとして示されている。
【００２３】
図２の図から理解されるように、取付け組立体部分は、製造時にシール組立体１の様々な部材を整合させやすくする。図に示すように、シール部材３０の第１〜第４の半円形板３０Ａ´、３０Ａ´´、３０Ｂ´及び３０Ｂ´´は、システムの組立時に穴８０、９０を摺動させてピン１００の上に被せることによってアダプタ６０に取り付けられる。穴８０、９０及びピン１００は例証的な構造であり、穴及びピン以外の取付け部分も、それらの部分が上記のように補完的である限り本発明の範囲内に含まれることに注意されたい。非限定的な例として、穴とピンとを入れ替えること、又は、取付け部分の形状を図に示したものとは異なるものにすることもできる。
【００２４】
図３に、第１の半円形板７０Ａと第２の半円形板７０Ｂとを含む支持体７０を有するシール組立体１を示す。第１及び第２の支持体半円形板７０Ａ及び７０Ｂの各々は、取付けシステム第４部分１１０を含む。図に示すように、取付けシステム第４部分１１０は、取付けシステム第３部分１００に対して補完的であり、これらの部分の補完性については、それぞれ取付けシステム第１、第２及び第３部分８０、９０及び１００に関して上記に説明している。図３に示す穴は、取付けシステム第４部分１１０に用いることができる構造の非限定的な例である。支持体７０及びアダプタ６０は、同じ又は実質的に同一の熱膨張率を有する材料を含んでよく、更にまた同じ又は同様の材料組成を有してよい。
【００２５】
図４〜６に、パネル２０に対する導管１０の回転、軸方向及び並進移動を示す。図４の矢印は、導管１０がパネル２０に対して回転可能であることを示す。図５の矢印は、パネル２０に対する導管１０の軸方向移動を示す。導管１０はその他の導管区画と連続しているが、ここで言う軸方向移動は配管貫通部における導管１０の長手軸に沿った移動を指すことが理解される。図６の矢印は、パネル２０に対する導管１０の並進移動を示す。
【００２６】
本開示の装置は、導管又はその他のシステム用のいかなる１つの特定の防音システムにも制限されるわけではなく、配管貫通部における防音が望まれるその他のシステムにも使用可能である。加えて、本発明の装置は、本明細書に記載の装置の動作範囲、効率、耐久性及び信頼性の向上によって利益を得ることができる、本明細書に記載しないその他のシステムにも使用可能である。
【００２７】
本明細書で使用する用語は、特定の実施形態のみを説明するためのものであって、本開示を制限することを意図するものではない。本明細書で用いる場合、「１つ」、「ある」及び「その」という単数形は、その内容が複数形を含まないことを明白に示さない限り、複数形をも含むことを意図している。更に、「含む」及び／又は「具備する」という用語は、本明細書で用いる場合、記載の特徴、整数、段階、操作、要素及び／又は構成要素の存在を示すが、１つ以上のその他の特徴、整数、段階、操作、要素、構成要素及び／又はこれらの集まりの存在を排除するものではないことが理解される。
【００２８】
本明細書で用いる場合、「軸方向の」及び／又は「軸方向に」という用語は、配管貫通部における導管の長手軸に対して実質的に平行をなす軸Ａに沿った物体の相対的な位置／方向を指す。更に、本明細書で用いる場合、「半径方向の」及び／又は「半径方向に」という用語は、軸Ａに対して実質的に垂直をなすと共に１つの位置のみで軸Ａと交差する半径（ｒ）に沿った物体の相対的な位置／方向を指す。加えて、「周方向の」及び／又は「周方向に」という用語は、軸Ａを取り巻くが軸Ａといかなる位置でも交差しない周に沿った物体の相対的な位置／方向を指す。
【００２９】
本明細書は、最良の形態を含めて、例を用いて本発明を開示するとともに、更にまた、あらゆる装置又はシステムの製作及び使用と本明細書に援用されるあらゆる方法の実行とを含めて、あらゆる当業者が本発明を実施することを可能にするものである。本発明の特許可能な範囲は、特許請求の範囲により定められるとともに、当業者が想到するその他の例を含みうる。このようなその他の例は、特許請求の範囲の文言と相違しない構造要素を有する場合又は特許請求の範囲の文言と実質的に相違しない等価の構造要素を含む場合に、特許請求の範囲内に含まれることを意図している。
【符号の説明】
【００３０】
１    シール組立体
１０    導管
２０    パネル
３０    シール部材
３０Ａ    第１の部分
３０Ｂ    第２の部分
３０Ａ´    第１の半円形板
３０Ａ´´    第２の半円形板
３０Ｂ´    第３の半円形板
３０Ｂ´´    第４の半円形板
３２    第１の接合部
３６    第２の接合部
４０    カラー
５０    フランジ
５０Ａ    第１面
５０Ｂ    第２面
６０    アダプタ
７０    支持体
７０Ａ    第１の半円形板
７０Ｂ    第２の半円形板
８０    取付け組立体第１部分
９０    取付け組立体第２部分
１００    取付け組立体第３部分
８０    取付けシステム第１部分
９０    取付けシステム第２部分
１００    取付けシステム第３部分
１００    ピン
１１０    取付けシステム第４部分
【図１】
2015017702.tif 000003
【図２】
2015017702.tif 000004
【図３】
2015017702.tif 000005
【図４】
2015017702.tif 000006
【図５】
2015017702.tif 000007
【図６】
2015017702.tif 000008